(57)【要約】【課題】外観性が良好であるとともに、施工作業性を向上でき、また、安全性を確保することが可能な照明器具を提供すること。【解決手段】本発明は、両端部に取付部１３を有し、この取付部１３を介して被設置部Ｃに取付けられる器具本体１と、この器具本体１の取付部１３を覆うとともに、取付部１３を露出可能に操作できる端部カバー５と、取付部１３を露出した状態において、端部カバー５を器具本体１側に係止して保持する規制手段Ｓ３とを備えた照明器具である。【選択図】図６
2013062219.tif 000002
【特許請求の範囲】
【請求項１】
両端部に取付部を有し、この取付部を介して被設置部に取付けられる器具本体と；
この器具本体の取付部を覆うとともに、取付部を露出可能に操作できる端部カバーと；
取付部を露出した状態において、端部カバーを器具本体側に係止して保持する規制手段と；
を具備することを特徴とする照明器具。
【発明の詳細な説明】
【技術分野】
【０００１】
本発明の実施形態は、照明器具本体の両端部に取付部を有する照明器具に関する。
【背景技術】
【０００２】
従来、例えば、バスや鉄道車両等の車両における車内灯に用いられる照明器具は、車両の天井面（被設置部）に設置される器具本体を備えており、この器具本体の前面側に直管形蛍光ランプ等の光源部が配設されている。
【０００３】
このような車両用の照明器具において、照明器具本体の両端部に取付部が設けられ、この取付部を介して器具本体を車両の天井面にねじ止め等によって取付けられる場合がある。
【先行技術文献】
【特許文献】
【０００４】
【特許文献１】特開２００８−２９６７７４号公報
【発明の概要】
【発明が解決しようとする課題】
【０００５】
しかしながら、上記のように器具本体の両端部に取付部を設けた場合、この取付部が外観に現われ、外観性が損なわれる虞がある。このため、取付部を覆うとともに、取付部を露出可能に操作できる端部カバーを設けることが考えられる。
【０００６】
ところが、この場合、器具本体を被設置部に設置したり、被設置部から取外したりする際に、端部カバーが器具本体から脱落し、落下する可能性がある。したがって、照明器具の施工作業性や安全性が低下し、また、部品としての端部カバーを損傷する虞が生じる。
【０００７】
本発明は、上記課題に鑑みなされたもので、外観性が良好であるとともに、施工作業性を向上でき、また、安全性を確保することが可能な照明器具を提供することを目的とする。
【課題を解決するための手段】
【０００８】
本発明の実施形態による照明器具は、両端部に取付部を有し、この取付部を介して被設置部に取付けられる器具本体と、この器具本体の取付部を覆うとともに、取付部を露出可能に操作できる端部カバーとを備えている。
また、取付部を露出した状態において、端部カバーを器具本体側に係止して保持する規制手段とを備えている。
【発明の効果】
【０００９】
本発明の実施形態によれば、外観性が良好であるとともに、施工作業性を向上でき、また、安全性を確保することが可能な照明器具を提供することができる。
【図面の簡単な説明】
【００１０】
【図１】本発明の実施形態に係る照明器具が被設置部に取付けられた状態を示す斜視図である。
【図２】同照明器具を前面側から見て示す平面図である。
【図３】同照明器具を背面側から見て示す平面図である。
【図４】図３中、Ｙ−Ｙ線に沿って示す断面図である。
【図５】同照明器具を前面側から見て示す分解斜視図である。
【図６】同照明器具を背面側から見て示す分解斜視図である。
【図７】同照明器具における取付部材関係の取付手順を示す背面側の一部平面図である。
【図８】同じく、取付部材関係の取付手順を示す背面側の一部平面図である。
【図９】同じく、取付部材関係の取付手順を示す背面側の一部平面図である。
【図１０】同照明器具における端部カバーの取付過程を示す背面側の一部斜視図である。
【図１１】同じく、端部カバーの取付過程を示す背面側の一部斜視図である。
【図１２】同じく、端部カバーの取付過程を示す背面側の一部斜視図である。
【図１３】同照明器具におけるグローブを拡大して示す一部斜視図である。
【図１４】同照明器具における光源部（グローブ保持金具）を拡大して示す一部斜視図である。
【図１５】同照明器具におけるグローブの保持状態を示す断面図である。
【図１６】同照明器具において、端部カバーをスライド移動させて取付部を露出させた状態を前面側から見て示す一部平面図である。
【図１７】同じく、端部カバーをスライド移動させて取付部を露出させた状態において背面側から見て示す一部平面図である。
【図１８】同じく、端部カバーをスライド移動させて取付部を露出させた状態において背面側から見て示す一部斜視図である。
【図１９】（ａ）及び（ｂ）は、端部カバーが器具本体側に保持される状態を示しており、図１７中、Ｘ−Ｘ線に沿って示す断面図である。
【図２０】照明器具が被設置部に取付けられた状態において、その落下を防止する実施形態（実施例１）を示す図１９に相当する断面図である。
【図２１】同じく、落下を防止する実施形態（実施例２）を示す側面図である。
【図２２】同、落下を防止する実施形態（実施例２）を示す要部の拡大図である。
【図２３】同、落下を防止する実施形態（実施例２）を示し、照明器具を被設置部に仮止めする操作を示す説明図である。
【発明を実施するための形態】
【００１１】
以下、本発明の実施形態について図１乃至図１９を参照して説明する。本実施形態では、バスや電車等の車両における車内灯として用いられる照明器具を示している。なお、各図において同一部分には同一符号を付し、重複した説明は省略する。
【００１２】
図１乃至図６に示すように、照明器具は、車両の天井面等の被設置部Ｃに取付けられる長尺状の器具本体１と、この器具本体１に配設された光源部２と、この光源部２を覆うグローブ３と、光源部２を点灯制御する点灯装置４とを備えている。また、器具本体１の両端部に設けられる端部カバー５と、端部カバー取付部材としての取付金具６と、器具本体１を被設置部Ｃへ取付ける部材としての設置金具７とを備えている。このような照明器具は、前面側を光の照射面とし、背面側を被設置部Ｃへの取付面としている。
【００１３】
器具本体１は、長尺状に形成されていて、ベース板１１と、側枠１２とを備えている。ベース板１１は、例えば、アルミニウム等の熱伝導が良好な金属材料から折曲して形成されており、幅方向の両側に長手方向に沿って取付片１１ａを有して略樋状に形成されている。また、長手方向の両端部は、取付部として構成されている。この取付部は、本実施形態においては、具体的には、器具本体１を被設置部Ｃに取付けるために用いられる固定手段としての例えば、取付ねじが挿通する円形のねじ挿通孔１３である。
【００１４】
なお、取付部は、例えば、ねじ等の固定手段が挿通されたり、取付けられたりする挿通孔、ねじ穴や切欠き部等によって構成でき、格別限定的に解釈されるものではない。器具本体１を被設置部Ｃに取付けるために介在されたり、供されたりする部分や部材を意味している。
【００１５】
側枠１２は、溶融亜鉛めっき鋼板等の金属板によって長尺状に形成されていて、主として図４に示すように、互いに対向する内側面が開口する断面略コ字状に作られており、内側の壁における背面側へ立ち上がる上端縁１２ａには、後述する端部カバー５のスライド移動を規制する段部１２ｂが形成されている（図１０参照）。
【００１６】
このような側枠１２は、ベース板１１の長手方向に沿う両側に断面略Ｌ字状の取付金具１２ｃを介して取付けられている。詳しくは、側枠１２には、断面略Ｌ字状の取付金具１２ｃが固定されており、この取付金具１２ｃの上にベース板１１の取付片１１ａが載置され、ねじ止めされて一体化されている。
【００１７】
光源部２は、図４及び図５に代表して示すように、基板２１と、この基板２１に実装された複数の発光素子２２と、各発光素子２２を覆う蛍光体層２３とを備えている。
【００１８】
基板２１は、絶縁材である例えば、ガラスエポキシ樹脂（ＦＲ−４）等の材料で細長の長方形状に形成されている。表面側には銅箔で形成された配線パターンが施されている。また、適宜レジスト層が施されるようになっている。この基板２１は、器具本体１の前面側に複数枚、具体的には、４枚の基板２１が長手方向に直線状に並べられて配設されている。したがって、基板２１の裏面側は、器具本体１の前面側に面接触して熱的に結合されるようになっている。
【００１９】
なお、基板２１の材料には、セラミックス材料、合成樹脂材料又は各発光素子２２の放熱性を高めるうえで、アルミニウム等の熱伝導性が良好で放熱性に優れたべース板の一面に絶縁層が積層された金属製のべース基板を適用することができ、格別その材料が限定されるものではない。
【００２０】
複数の発光素子２２は、ＬＥＤのベアチップからなる。ＬＥＤのベアチップには、例えば、白色系の光を発光部で発光させるために、青色の光を発するものが用いられている。このＬＥＤのベアチップは、シリコーン樹脂系の絶縁性接着剤を用いて基板２１上に接着され、ボンディングワイヤによって配線パターン上に電気的に接続されている。
【００２１】
蛍光体層２３は、透光性合成樹脂、例えば、透明シリコーン樹脂製であり、ＹＡＧ：Ｃｅ等の蛍光体を適量含有している。蛍光体層２３は、個々の発光素子２２を発光素子２２ごとに被覆する山形の形状をなしている。蛍光体は、発光素子２２が発する光で励起されて、発光素子２２が発する光の色とは異なる色の光を放射する。発光素子２２が青色光を発する本実施形態では、白色光を出射できるようにするために、蛍光体には青色の光とは補色の関係にある黄色系の光を放射する黄色蛍光体が使用されている。
【００２２】
なお、発光素子としては、表面実装型のＬＥＤパッケージを用いてもよい。また、砲弾型のＬＥＤを実装するようにしてもよく、実装方式や形式は、格別限定されるものではない。
【００２３】
図１、図２、図４及び図５に示すように、グローブ３は、透光性を有し、側断面が半円形状をなして長尺状に形成され、光源部２を覆うようになっている。グローブ３は、透明のポリカーボネート樹脂又はアクリル樹脂等によって形成されていて、その表面側は、不燃性材料であるガラスクロス３１によって覆われている。
【００２４】
図１３の参照を加えて示すように、ガラスクロス３１の長手方向に沿う両端部は、グローブ３における表面側から半円形状の開放端の内側に巻き込まれるようにグローブ３の長手方向の略全長に亘る長尺状の留め金具３２によって取付けられている。留め金具３２は、断面形状が略Ω状に形成されてばね性を有しており、ガラスクロス３１の端部を外側から挟み込むように取着されている。したがって、留め金具３２の両側には、凹条部３２ａが形成されるようになる。
【００２５】
また、グローブ３の長手方向の両端部は、グローブ端板３３に保持されて器具本体１に取付けられている。グローブ端板３３は、図１６の参照を加えて示すように、グローブ３の両端部の半円形状の開口を覆うように鍔部３３ａを有して略半円形状に形成されており、また、器具本体１に取付けるための固定片３３ｂを有している。この固定片３３ｂには、一対のねじ貫通孔が形成されている。したがって、グローブ３は、前面側から固定片３３ｂのねじ貫通孔及び器具本体１に形成された一対のねじ貫通孔を貫通し、後述する取付金具６のねじ穴６１ｂにねじ込まれる取付ねじＳ１によって取付けられる。
【００２６】
ここで、図５、図１４及び図１５に示すように光源部２における長手方向であって両側の適宜複数箇所には、グローブ保持金具３４が設けられている。このグローブ保持金具３４は、板状材が略コ字状に折曲されて形成されており、その両端部が器具本体１の背面側から前面側へ延出されて配設されている。そして、延出された両端部には、外側へ向かう複数の凸部３４ａが形成されている。
【００２７】
したがって、グローブ３の取付けにあたっては、まず、留め金具３２の外側の凹条部３２ａをグローブ保持金具３４の凸部３４ａに弾性的に係合し、グローブ３を器具本体１側に保持する。その後、グローブ端板３３を器具本体１側に固定することによって取付ける。
【００２８】
このようにグローブ３は、ガラスクロス３１を挟み込む留め金具３２を利用してグローブ保持金具３４によって保持されるので、簡単な構成によって例えば、振動等により経時的に長尺状のグローブ３の中央部が自重によって下方に垂れ下るというような不具合を回避することができる。
【００２９】
なお、この場合、留め金具３２は、グローブ３の長手方向の略全長に亘る長尺状に形成されているので、グローブ保持金具３４を長手方向の複数個所に設けるにあたり、その位置に制約が少なく、配置の自由度を確保することが可能となり、これら留め金具３２及びグローブ保持金具３４によってグローブ３の器具本体１への保持が確実となる。
【００３０】
また、グローブ３の長手方向に沿う端部と器具本体１の前面側との間には、パッキン３５が介在されるようになっている。したがって、このパッキン３５によってグローブ３の振動等が緩和され、前記グローブ保持金具３４の保持作用と相俟って、グローブ３の長手方向に沿う端部と器具本体１の前面側との間の隙間の発生を抑制することができ、グローブ３内への塵埃や虫の侵入を防止することが可能となる。
【００３１】
点灯装置４は、器具本体１の背面側に取付けられている。点灯装置４は、箱状のケース内に回路部品を収容して構成されており、商用交流電源ＡＣに接続されて、この交流電源ＡＣを受けて直流出力を生成するものである。点灯装置４は、例えば、全波整流回路の出力端子間に平滑コンデンサを接続し、この平滑コンデンサに直流電圧変換回路及び電流検出手段を接続して構成されている。したがって、点灯装置４は、光源部２に接続されており、その直流出力を発光素子２２に供給し、発光素子２２を点灯制御するようになっている。なお、点灯装置４は、外部の直流電源ＤＣに接続されて、直流電源ＤＣを受けて、ＬＥＤに直流出力を供給する形態であってもよい。
【００３２】
次に、器具本体１を被設置部Ｃへ設置するための取付部材関係、すなわち、端部カバー５、取付金具６及び設置金具７について説明する。これらの部材は、金属板から形成されており、器具本体１の両端部に設けられている。また、これらの部材は、両端部（図示上、左右）共通である。
【００３３】
主として図５（取付ねじの図示は省略している）及び図６を参照し、必要に応じて他の図の参照を加えて示すように、端部カバー５は、略長方形状をなす平坦状のカバー壁５１、このカバー壁５１の両側から起立するように形成された側面壁５２及び前面壁５３を有している。
【００３４】
そして、カバー壁５１の前面壁５３寄りには、ねじ貫通孔５１ａが形成されている。側面壁５２の端縁には、幅方向であって外側に略Ｌ字状に延出する一対のスライド片５４が形成されている。このスライド片５４には、他の部分よりも外側に大きく延出するストッパ部５４ａが形成されている。
また、前面壁５３の両端部には、内側方向へ延出するとともに幅方向に若干の弾性を有する一対のガイド片５３ａが設けられている。
【００３５】
取付金具６は、略長方形状に形成されたベース壁６１、このベース壁６１から斜め前方に延出した取付壁６２、ベース壁６１の両側から起立するように形成された側面壁６３を有している。ベース壁６１には、器具本体１のねじ挿通孔１３と対向するねじ挿通孔６１ａが形成されているとともに、端部寄りに一対のねじ穴６１ｂが形成されている。取付壁６２には、端部カバー５のねじ貫通孔５１ａと対向するねじ穴６２ａが形成されている。また、側面壁６３の端縁には、幅方向の外側に向かって一対の取付片６３ａが形成されていて、この各取付片６３ａには、後述する規制手段としてのねじがねじ込まれるねじ穴６３ｂが形成されている。
【００３６】
設置金具７は、幅方向に長辺を有する略長方形状に形成されたベース壁７１、このベース壁７１から折曲して幅方向の外側に延出した一対の取付片７２、ベース壁７１から垂直方向に折曲された前面壁７３を有している。ベース壁７１には、器具本体１のねじ挿通孔１３と対向するねじ貫通孔７１ａが形成されており、各取付片７２には、ねじ貫通孔７２ａが形成されている。
【００３７】
次に、取付部材関係の取付手順について図５乃至図１２を参照して説明する。概略的には、図５及び図６に示すように、まず、取付金具６が器具本体１の背面側から取付けられる。次いで、同様に器具本体１の背面側から設置金具７を取付ける。続いて、端部カバー５を器具本体１の長手方向の端部側からスライドするように配設して取付ける。なお、この取付手順は、その順序が特段限定されるものではない。順序を変更して取付けるようにしてもよい。
より詳しくは、主として図７乃至図１２を参照して以下に説明する。
［取付金具６の取付け］
【００３８】
図６及び図７に示すように、取付金具６を器具本体１の背面側に配置する。この場合、ベース壁６１に形成された一対のねじ穴６１ｂを器具本体１側のねじ貫通孔に位置的に合わせて配置する。これにより、ねじ挿通孔６１ａは、器具本体１側のねじ挿通孔１３と位置的に合うようになる。
【００３９】
この状態で器具本体１の前面側に配置されたグローブ３をグローブ端板３３によって器具本体１に取付ける。具体的には、図１６の参照を加えて示すように、前面側からグローブ端板３３における固定片３３ｂのねじ貫通孔、器具本体１に形成されたねじ貫通孔を貫通し、取付金具６の一対のねじ穴６１ｂに取付ねじＳ１をねじ込む。
これによって、グローブ３が器具本体１に取付けられるとともに、取付金具６が器具本体１に取付けられる。
［設置金具７の取付け］
【００４０】
図６乃至図８に示すように、設置金具７を器具本体１の背面側に配置する。この場合、各取付片７２に形成されているねじ貫通孔７２ａを器具本体１側のねじ貫通孔に位置的に合わせる。これにより、ねじ貫通孔７１ａは、取付金具６のねじ挿通孔６１ａと位置的に合うようになる。
【００４１】
そして、背面側から取付片７２のねじ貫通孔７２ａ、器具本体１側のねじ貫通孔を貫通し、側枠１２に固定された断面略Ｌ字状の取付金具１２ｂに形成されたねじ穴に取付ねじＳ２をねじ込む。これによって、設置金具７は器具本体１に取付けられる。
［端部カバー５の取付け］
【００４２】
図５、図６、図８乃至図１２に示すように、端部カバー５は、器具本体１の長手方向の端部側からスライドするようにして取付けられる。具体的には、図１０乃至図１２に代表して示すように、スライド片５４を側枠１２における内側の壁の上端縁１２ａをガイドとして長手方向の内側へスライドして移動させる。
【００４３】
図１０は、器具本体１の端部側と端部カバー５とを示し、端部カバー５を取付ける前の状態を示している。この状態から図１１に示すように、端部カバー５における一対のスライド片５４を側枠１２の上端縁１２ａに乗せるようにするとともに、カバー壁５１を器具本体１におけるベース板１１の前面側（図示上、下側）に配置されるようにして、端部カバー５を器具本体１側へスライド移動させる。
【００４４】
この端部カバー５のスライド移動の終了段階においては、端部カバー５の前面壁５３に設けられたガイド片５３ａが側枠１２の内壁面に案内され、端部カバー５が所定の位置に配置される（図９及び図１２参照）。
【００４５】
この状態において、図９及び図１２に示すように、取付金具６の各取付片６３ａのねじ穴６３ｂに規制手段としてのねじＳ３をねじ込む。これにより、ねじＳ３は、断面略コ字状の側枠１２における開口から前面側へ進出して位置されるようになる。同時に、前面側から取付ねじＳ４を端部カバー５のねじ貫通孔５１ａを貫通させ、取付金具６における取付壁６２のねじ穴６２ａにねじ込む。これによって、端部カバー５は、器具本体１に取付けられる。
【００４６】
このように端部カバー５が取付けられた状態では、器具本体１の取付部としてのねじ挿通孔１３は、前面側において端部カバー５に覆われて外観上、視認できなくなる。加えて、グローブ端板３３における取付ねじＳ１も端部カバー５によって覆われるようになる（図１、図２及び図１６参照）。
【００４７】
なお、取付手順としては、まず、取付金具６を器具本体１の背面側に配置し、この取付金具６を仮止めするように器具本体１の背面側から設置金具７を取付け、この状態で器具本体１の前面側にグローブ３をグローブ端板３３によって器具本体１に取付ねじＳ１で取付けると同時に、取付金具６を器具本体１に固定して取付けるようにしてもよい。
【００４８】
次に、上記のように構成された照明器具を被設置部Ｃに取付ける場合について主として図１６乃至図１９を参照してその概要を説明する。照明器具は、上記のように端部カバー５、取付金具６及び設置金具７が取付けられた状態で出荷され、設置現場において施工作業が行われる。
【００４９】
照明器具を被設置部Ｃに取付けるにあたっては、取付ねじＳ４を取外し、図１６乃至図１８に示すように、端部カバー５をスライド移動させて外側へ引き出す。したがって、図１６に示すように、器具本体１の取付部であるねじ挿通孔１３が露出するようになる。
【００５０】
この状態で器具本体１を手で支え、上方に押し上げて被設置部Ｃの所定の位置に配置し、図４に代表して示すように、取付ねじＳ５をその頭部を含めて前面側から器具本体１のねじ挿通孔１３、取付金具６のねじ挿通孔６１ａを介して挿通させ、次いで、取付ねじＳ５を設置金具７のねじ貫通孔７１ａを貫通させて被設置部Ｃ側にねじ込む。
【００５１】
これにより、器具本体１は、被設置部Ｃに取付けられる。続いて、図９及び図１２に示すように端部カバー５をスライド移動させて元の位置に復帰させ、取付ねじＳ４によって器具本体１側に固定する。よって、前述と同様に、当然のことながら器具本体１の取付部としてのねじ挿通孔１３は、端部カバー５に覆われて外観上、視認できなくなり、グローブ端板３３における取付ねじＳ１も端部カバー５によって覆われるようになる。
【００５２】
照明器具を被設置部Ｃに取付ける過程において、端部カバー５を外側へ引き出した状態で器具本体１を上方に押し上げて被設置部Ｃに配置することになる。この場合、端部カバー５が器具本体１から脱落して落下する虞があるが、本実施形態においては、端部カバー５の脱落を防ぎ、器具本体１側に係止して保持する規制手段が設けられている。
【００５３】
具体的には、図１８及び図１９（ａ）に示すように、端部カバー５のスライド片５４が側枠１２における上端縁１２ａの段部１２ｂに係止されている。したがって、端部カバー５の外側へのスライド移動は、一次的には規制された状態となっている。
【００５４】
しかしながら、例えば、施工作業中に端部カバー５が斜めに傾く等により、端部カバー５のスライド片５４の係止が段部１２ｂから外れて、端部カバー５が脱落し、落下してしまう可能性が生じる。
【００５５】
本実施形態では、端部カバー５を器具本体１側に係止して保持する規制手段として、取付金具６の各取付片６３ａにねじＳ３がねじ込まれている。したがって、図１９（ｂ）に示すように、端部カバー５が斜めに傾く等の状態が生じたとしても、スライド片５４のストッパ部５４ａがねじＳ３の軸部に衝突して係止される。このため、端部カバー５は、器具本体１側から脱落することなく、器具本体１側に確実に保持されるようになる。
【００５６】
照明器具の設置状態において、点灯装置４に電力が供給されると、光源部２における発光素子２２に通電され発光素子２２は発光する。発光素子２２から出射された光は、グローブ３を透過して拡散され、所定の配光範囲に照射される。
また、発光素子２２の発光に伴い熱が発生する。この熱は、基板２１の裏面側から主として器具本体１へ伝導され放熱される。
【００５７】
このように発光素子２２を光源とする光源部２を器具本体１に配設する場合、光源部２の放熱を必要とする。このため、構成上の制約から取付部は、器具本体１の両端部に設けられるようになる。したがって、本実施形態の構成は、発光素子２２を光源とする照明器具に適用する場合に好適となる。
【００５８】
以上のように本実施形態によれば、器具本体１における両端部の取付部（ねじ挿通孔１３）を端部カバー５で覆うことができるので、外観性が良好となる。また、器具本体１を被設置部Ｃに設置したり、被設置部Ｃから取外したりする際に、端部カバー５は、器具本体１から取外すことなく、取付部を露出可能に操作でき、かつ器具本体１に係止して保持されるため、施工作業性を向上でき、さらに、安全性を確保することが可能となる。
【００５９】
次に、照明器具が被設置部Ｃに取付けられた状態においては、取付ねじＳ５が被設置部Ｃにねじ込まれてその取付状態が保持されるが、経時的な振動等の影響によって取付ねじＳ５が緩んでくる可能性がある。この場合、照明器具が被設置部Ｃから外れ、落下する危険性が生じる。
【００６０】
図２０乃至図２３を参照して照明器具が被設置部Ｃに取付けられた状態において、その落下を防止する実施形態について説明する。なお、上記実施形態と同一又は相当部分には同一符号を付し、重複した説明は省略する。図２０（ａ）（ｂ）は、実施例１を示しており、図２１乃至図２３は実施例２を示している。
（実施例１）
【００６１】
図２０は、前記図１９に相当する断面を示しており、図２０（ａ）は、端部カバー５をスライドさせて外側へ引き出した状態、図２０（ｂ）は、端部カバー５を元の状態に戻し、取付ねじＳ４によって器具本体側に固定した状態（使用状態）を示している。
【００６２】
本実施例の端部カバー５には、この端部カバー５の内側に延出する落下防止片５５が設けられている。落下防止片５５は、所定の幅寸法を有する金属板であり、長手方向に延出している。
【００６３】
図２０（ａ）の状態から端部カバー５をスライド移動させて、図２０（ｂ）の状態とすると、落下防止片５５は、取付ねじＳ５の下方に位置するようになる。したがって、仮に、振動等の影響によって取付ねじＳ５が緩んできたとしても、取付ねじＳ５の頭部が落下防止片５５に当接し、取付ねじＳ５が被設置部Ｃから外れて脱落するのを防止することができる。
【００６４】
なお、落下防止片５５における取付ねじＳ５の頭部が当接する部分には、取付ねじＳ５の頭部が当接した後に、車両の振動等に起因して、落下防止片５５と取付ねじＳ５の頭部との接触による異音の発生を防止するため、テープやパッキン等の緩衝材を貼着することが好ましい。
以上のように本実施例によれば、照明器具の落下を確実に防止して、安全性を高めることが可能となる。
(実施例２)
【００６５】
本実施例は、照明器具を被設置部Ｃに取付けるのを容易にするための仮止め機構に、落下を防止する機能を付加したものであり、係止ねじ８と、照明器具本体１側に形成された係止孔９とを備えている。
【００６６】
図２１に示すように、被設置部Ｃには、所定の間隔を空けて一対の係止ねじ８がねじ込まれている。一方、照明器具本体１側には、この係止ねじ８と対向して一対の係止孔９が形成されている。係止ねじ８に係止孔９が係止されることにより、照明器具を被設置部Ｃに取付けるに際し、照明器具が被設置部Ｃに仮止めされ、また、照明器具の設置状態において、落下の防止がなされるようになる。
【００６７】
具体的には、図２２に示すように、係止ねじ８は、段付きのねじであり、円筒状であって、外径寸法の異なる３段の段部、すなわち、第１の段部８１、第２の段部８２及び第３の段部８３を有していて、先端側には雄ねじが形成された軸部８４を備えている。
【００６８】
第１の段部８１から第３の段部８３へと順にその外径寸法が大きくなるように形成されており、第１の段部８１の外径寸法をｄ1、第２の段部８２の外径をｄ2、第３の段部８３の外径をｄ3とすると、ｄ1＜ｄ2＜ｄ3の寸法関係に形成されている。
【００６９】
また、係止孔９は、照明器具の背面側に設けられた板状の取付金具１５に形成されている。この係止孔９は、直径の異なる大小の円形状の孔を直線状の孔で接続するような形状をなしていて、概略ひょうたん形状に形成されている。直径の大きな円形状の孔は、挿入部９１として機能し、直径の小さな円形状の孔は、係止部９２として機能する。また、直線状の孔は、スライド部９３として機能するようになっている。
【００７０】
さらに、この係止孔９は、スライド部９３の幅寸法をＤ1、係止部９２の内径寸法をＤ2、挿入部９１の内径寸法をＤ3とすると、前記係止ねじ８の寸法との関係において、スライド部９３の幅寸法Ｄ1は、第１の段部８１の外径寸法ｄ1より僅かに大きく、第２の段部８２の外径ｄ2より小さいｄ1＜Ｄ1＜ｄ2の寸法関係となっている。
【００７１】
また、係止部９２の内径寸法Ｄ2は、第２の段部８２の外径ｄ2より僅かに大きく、第３の段部８３の外径ｄ3より小さいｄ2＜Ｄ2＜ｄ3の寸法関係となっており、挿入部９１の内径寸法Ｄ3は、第３の段部８３の外径ｄ3より僅かに大きくＤ3＞ｄ3の寸法関係となっている。
このような係止ねじ８と係止孔９との寸法関係において、図２３を参照して照明器具を被設置部Ｃに設置固定する前の仮止め状態について説明する。
【００７２】
まず、図２３（ａ）に示すように被設置部Ｃに係止ねじ８をねじ込んで取付け、この係止ねじ８に係止孔９を合わせるようにして照明器具を手で支え上方に押し上げる。詳しくは、係止ねじ８に挿入部９１を挿通させて、図２３（ｂ）に示すように、照明器具の背面側を被設置部Ｃに当接するように配置する。
【００７３】
次いで、図２３（ｂ）に示す状態から照明器具を図示上、左方向にスライドさせる。この場合、係止孔９のスライド部９３が係止ねじ８の第１の段部８１の外径に案内されてスライド移動する。スライド移動の終点においては、図２３（ｃ）に示すように係止孔９の係止部９２が係止ねじ８に対応して位置するようになる。
【００７４】
ここで、照明器具の支えを解くと、図２３（ｄ）に示すように係止部９２の内径寸法Ｄ2は、係止ねじ８の第２の段部８２の外径ｄ2より大きく、第３の段部８３の外径ｄ3より小さく形成されているため、照明器具の自重により、係止部９２が第３の段部８３に引掛かって支持され、照明器具が仮止め状態となる。この仮止め状態から照明器具を被設置部Ｃに取付ねじＳ５によって確実に設置固定することができる。
【００７５】
このように仮止め機構が構成されるが、仮に、振動等の影響によって取付ねじＳ５が緩んで外れたとしても、仮止め状態と同様に、係止部９２が第３の段部８３に引掛かって支持され、照明器具の落下を防止することができる。また、スライド部９３の幅寸法Ｄ1は、第２の段部８２の外径ｄ2より小さく形成されているので、振動等によって照明器具に横方向の力が作用した場合にも、照明器具の横方向の移動（スライド移動）が阻止され、係止部９２の支持が第３の段部８３から解かれることはない。
【００７６】
以上のように本実施例によれば、照明器具を被設置部Ｃに取付けるに際し、照明器具の仮止めが可能であるとともに、照明器具の落下を確実に防止して、安全性を高めることができる。
【００７７】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。例えば、上記実施形態では、規制手段としては、ねじを例にとって説明したが、規制手段は、端部カバーを器具本体側に係止して保持できる部材や部分であればよく、格別特定のものに限定されるものではない。
【符号の説明】
【００７８】
１・・・器具本体、２・・・光源部、
３・・・グローブ、４・・・点灯装置、
５・・・端部カバー、６・・・取付金具、
７・・・設置金具、１１・・・ベース板、
１２・・・側枠、１３・・・取付部（ねじ挿通孔）、
２１・・・基板、２２・・・発光素子（ＬＥＤ）、
Ｓ３・・・規制手段（ねじ）、Ｃ・・・被設置部
【図１】
2013062219.tif 000003
【図２】
2013062219.tif 000004
【図３】
2013062219.tif 000005
【図４】
2013062219.tif 000006
【図５】
2013062219.tif 000007
【図６】
2013062219.tif 000008
【図７】
2013062219.tif 000009
【図８】
2013062219.tif 000010
【図９】
2013062219.tif 000011
【図１０】
2013062219.tif 000012
【図１１】
2013062219.tif 000013
【図１２】
2013062219.tif 000014
【図１３】
2013062219.tif 000015
【図１４】
2013062219.tif 000016
【図１５】
2013062219.tif 000017
【図１６】
2013062219.tif 000018
【図１７】
2013062219.tif 000019
【図１８】
2013062219.tif 000020
【図１９】
2013062219.tif 000021
【図２０】
2013062219.tif 000022
【図２１】
2013062219.tif 000023
【図２２】
2013062219.tif 000024
【図２３】
2013062219.tif 000025